(57)【要約】スラリー含有パイロテクニック薬剤と接するブリッジワイヤを、該薬剤の縁部であって、空隙の形成が比較的少ない位置に備えたイニシエータに関する。
2005531742.tif 000002
【特許請求の範囲】
【請求項１】
ａ）上部、アイレット、ガラス絶縁体および第１ピンを含むヘッダアセンブリと、
ｂ）前記ヘッダアセンブリの前記上部に設けられた裸の電気的開始要素と、
ｃ）前記ヘッダアセンブリの前記上部表面に隣接しており、かつ前記電気的開始要素と隣接して伝熱関係にある第１点火薬と、
を備えており、
ｄ）前記第１点火薬は、乾燥スラリーであり、前記第１点火薬の縁部において前記電気的開始要素と接していることを特徴とするイニシエータ。
【請求項２】
前記電気的開始要素はブリッジワイヤであることを特徴とする請求項１に記載のイニシエータ。
【請求項３】
前記第１点火薬は前記ブリッジワイヤの上にあることを特徴とする請求項２に記載のイニシエータ。
【請求項４】
前記ガラス絶縁体は凸状環状上面を備えることを特徴とする請求項３に記載のイニシエータ。
【請求項５】
前記ガラス絶縁体は、前記ヘッダアセンブリの前記上面とほぼ同一平面である平坦な上面を備えることを特徴とする請求項１に記載のイニシエータ。
【請求項６】
前記ブリッジワイヤは前記ガラス絶縁体に密に接していることを特徴とする請求項３に記載のイニシエータ。
【請求項７】
前記ブリッジワイヤは平坦なブリッジワイヤであることを特徴とする請求項６に記載のイニシエータ。
【請求項８】
前記第１点火薬は、当該第１点火薬において前記ブリッジワイヤの直径の５０倍以下の高さを有する位置において、前記電気的開始要素と接していることを特徴とする請求項２に記載のイニシエータ。
【請求項９】
前記第１点火薬は前記ブリッジワイヤの下にあることを特徴とする請求項２に記載のイニシエータ。
【請求項１０】
前記電気的開始要素と隣接して伝熱関係にある第２点火薬を更に備えており、前記第２点火薬は、乾燥スラリーであり、前記第２点火薬の下端において前記電気的開始要素と接していることを特徴とする請求項９に記載のイニシエータ。
【請求項１１】
前記第１点火薬は、当該第１点火薬において前記ブリッジワイヤの直径の５０倍以下の高さを有する位置において、前記電気的開始要素と接しており、前記第２点火薬は、当該第２点火薬において前記ブリッジワイヤの直径の５０倍以下の高さを有する位置において、前記電気的開始要素と接していることを特徴とする請求項１０に記載のイニシエータ。
【請求項１２】
前記第１点火薬は、５０ｐｓｉ以下の圧力により、前記ヘッダアセンブリの前記上部に押しつけられていることを特徴とする請求項３に記載のイニシエータ。
【請求項１３】
前記第１点火薬の上部に出力薬を更に備えることを特徴とする請求項１２に記載のイニシエータ。
【請求項１４】
前記第１点火薬と前記出力薬との間に中間滑り面を更に備えることを特徴とする請求項１３に記載のイニシエータ。
【請求項１５】
ａ）上部、アイレット、ガラス絶縁体および第１ピンを含むヘッダアセンブリを設ける工程と、
ｂ）前記ヘッダアセンブリの前記上部に裸の電気的開始要素を設ける工程と、
ｃ）前記ヘッダアセンブリの前記上部表面に隣接し、かつ前記電気的開始要素と伝熱関係となるように、スラリー形態の第１点火薬を装填する工程と、
ｄ）前記第１点火薬が当該第１点火薬の縁部で前記電気的開始要素と伝熱関係を保つように前記第１点火薬を乾燥させる工程と、
を備えることを特徴とするイニシエータの製造方法。
【請求項１６】
前記電気的開始要素に隣接する前記第１点火薬の部分を、前記第１点火薬の最も薄い部分にする設定工程を更に備えることを特徴とする請求項１５に記載の製造方法。
【請求項１７】
前記設定工程は、前記第１点火薬を装填する間に、前記ヘッダアセンブリを軸方向にスピンさせる工程を備えることを特徴とする請求項１６に記載の製造方法。
【請求項１８】
前記第１点火薬を装填する間に、前記ヘッダアセンブリに遠心力を作用させる工程を備えることを特徴とする請求項１５に記載の製造方法。
【請求項１９】
前記工程ｃ）は、前記ヘッダの上部のくぼみに前記第１点火薬を装填する工程を含み、当該製造方法は、第２点火薬を前記ヘッダアセンブリの前記上部の上に装填する工程と、前記第２点火薬を乾燥させる工程とを更に備えることを特徴とする請求項１５に記載の製造方法。
【請求項２０】
前記乾燥工程時に前記第１および第２点火薬の縁部における空隙の生成を最小限にするような前記第１および第２点火薬用のスラリー組成を選択する工程を更に備えることを特徴とする請求項１９に記載の製造方法。
【発明の詳細な説明】
【技術分野】
【０００１】
本発明は、概ねパイロテクニック・イニシエータに関し、より詳しくは、空隙の形成が比較的少ない位置で、スラリー含有パイロテクニック薬剤と接するブリッジワイヤを備えたイニシエータに関する。
【背景技術】
【０００２】
パイロテクニック・イニシエータは産業用および民生用で多くの用途がある。重要な用途の一つは、自動車におけるエアバッグの膨張を引き起こすトリガーである。自動車産業では、信頼性のあるエアバッグ・イニシエータの製造コストを下げるために、かなりの努力が払われており、しかもその一方で、このようなイニシエータに対しては厳しい性能基準の達成が求められている。例えば、少なくとも所定の「全発火」レベルおよび持続時間（例えば、８００ｍＡ、２ミリ秒間、−３５℃）を有する発火電流は、それによって生じる電気抵抗により、イニシエータのブリッジワイヤにおいて、イニシエータの薬剤を点火するのに確実に（例えば、少なくとも９５％の信頼度で９９．９９９９％の稼働を保証するほどに）十分な熱を生成しなければならない。また一般に、所定の「非発火」レベルおよび持続時間（例えば、２００ｍＡ、１０秒間、８５℃）までの電流を印加しても、薬剤を点火するのに十分な熱をブリッジワイヤが生成しないことが要求される。イニシエータにおける全発火および非発火レベルの予測可能性は、ブリッジワイヤを取り囲む薬剤の均質性と、この薬剤とブリッジワイヤとの境界面の整合性により決定される重要な要素である。
【発明の開示】
【発明が解決しようとする課題】
【０００３】
当該技術の進歩の一例として、パイロテクニック薬剤をイニシエータに装填する際に、液体およびスラリーを使用するようになったことをあげることができる。Ｈａｍｉｌｔｏｎ等による米国特許第５，６８６，６９１号（ここに明示した事項に矛盾しない限度でスラリー装填の開示として本明細書に参照により組み込まれる）に示されるように、スラリー薬剤を容器に装填し、この容器をヘッダアセンブリ上に配置し、高圧密力下において薬剤を圧密化し、これをヘッダ表面およびブリッジワイヤに強く押し付けることが知られている。しかしながら、このような薬剤を圧密化することは必ずしも望ましくない。一例をあげると、圧密化には非常に平らなガラス面が必要な場合があり（なぜなら、通常使用される極めて細いブリッジワイヤは、ガラス面の屈曲または空隙に押付けられると、損傷しやすいからである）、このためには一般に機械加工または研削工程を必要とする。
【０００４】
圧密力を用いないスラリー液滴として、プライマまたは点火薬を加えることも知られている。しかし、溶媒が薬剤から蒸発することにより空隙が作られ、この空隙の形成は、非圧密乾燥スラリー薬剤において、ある問題を引き起こす。すなわち、空隙は、パイロテクニック薬剤の熱伝導性との比較において断熱材として作用するので望ましくない。ブリッジワイヤ上に形成された空隙は、それが断熱材として作用することによって点火を妨げ、ひいてはイニシエータが全発火または非発火の要求を満たすことができなくなる可能性がある。空隙が、ブリッジワイヤの一部のみを覆うようにブリッジワイヤの近くに形成されると、少量の電流がブリッジワイヤを流れただけで、局所的な高温点が生じる可能性がある。この高温点は、通常必要とされるよりも少ない電流で爆発物に点火をもたらす可能性があり、このため、イニシエータは非発火の要求を満たすことができなくなる。よって、このような非圧密化薬剤における空隙の形成を最小限とすることが求められてきた。これを実現するために提案された方法は、Ａｖｏｒｙ等による米国特許番号５，６４８，６３４に開示されているように、スラリー薬剤の深度を減じ（これにより空隙の形成が減少し、薬剤により部分的にまたは全体的に封入されたブリッジワイヤとの一体性が高められた、より堅いモノリシックの塊が生成される）、バインダーや溶媒の構成および含有物を含むスラリー組成を調整することである。なお、この米国特許における開示は、本明細書に参照により組み込まれる。またＡｖｏｒｙの特許は、このような薬剤をロッドにより軽く押付けてもよいと述べている。
【０００５】
従来、空隙制御の問題は、イニシエータのブリッジワイヤを、スラリーの空隙の形成が比較的少ない位置でスラリーに接するように配置することでは解決されないと考えられていた。
【課題を解決するための手段】
【０００６】
本発明によれば、イニシエータは、スラリーの縁部に配置され、空隙の形成が比較的少ない位置でスラリー含有パイロテクニック薬剤に接するブリッジワイヤを備えている。
【図面の簡単な説明】
【０００７】
【図１】乾燥スラリー薬剤の薄部におけるスラリーの下端に配置されたブリッジワイヤを示す、本発明におけるイニシエータの実施形態の部分側断面図である。
【図２】乾燥スラリーの上端に配置されたブリッジワイヤを示す、本発明におけるイニシエータの他の実施形態の部分側断面図である。
【図３】二層の乾燥スラリー薬剤の上端および下端に配置されたブリッジワイヤを示す、本発明におけるイニシエータの他の実施形態の部分側断面図である。
【符号の説明】
【０００８】
２０…アイレット
２２…ガラス
２８…ブリッジワイヤ
３０…中央ピン
３２…空隙
【発明を実施するための最良の形態】
【０００９】
本発明では、種々の形状ないし構成を有するイニシエータを使用することができる。また、本発明のイニシエータとして使用するために、種々の形状ないし構成を有するイニシエータを適宜改良することができる。本発明で使用するのに適したイニシエータは、Ｖａｈａｎ  Ａｖｅｔｉｓｉａｎ等による「パイロテクニック薬剤を保持する内部スリーブを備えるイニシエータおよびその製造方法」（"Initiator with an Internal Sleeve Retaining a Pyrotechnic Charge and Methods of Making Same"）と題された出願に記載されているような、パイロテクニック・イニシエータにおいて通常見られる多数の特性を備えていることが好ましい。なお、この出願は、譲渡人による同時係属中の出願Ｓ．Ｎ．１０／      （速達郵便番ＥＵ１２４４９４０７３ＵＳ）であり、本明細書に参照により組み込まれる。例えば、ガラス−金属密閉のヘッダアセンブリは、薬剤容器、絶縁体容器および成形絶縁筐体に密閉接着されている。そして、スラリー点火薬を装填し、乾燥することによってモノリシックの固体が形成されている。このモノリシックの固体は、薬剤密閉容器の高さの低い部分に相当する高さないし厚さを有することが好ましい。出力薬は、点火薬の乾燥後に点火薬の上に装填することが好ましい（出力薬もスラリー形態とするのが好ましい）。Ｖａｈａｎ  Ａｖｅｔｉｓｉａｎ等による「点火薬と出力薬との間に滑り面を備えたイニシエータ」（"Initiator with a Slip Plane Between an Ignition Charge and an Output Charge"）と題された出願に教示されているように、出力薬から点火薬への力の伝達を防ぐために、点火薬と出力薬との間に「滑り面」を設けてもよい。なお、この出願は、譲渡人による同時係属中の出願Ｓ．Ｎ．１０／      （速達郵便番ＥＵ１２４４９４０３９ＵＳ）である。
【００１０】
図１を参照すると、適切なヘッダアセンブリには、通常、３０４Ｌステンレス鋼等の金属から構成されたアイレット２０を設けることができる。このアイレット２０は概ね円筒状であり、アイレット２０には、ガラス２２からなる密閉シーリングおよびガラス２２内に配置される中央ピン３０を備えたフィードスルーを設けることが可能となるように、アイレット２０を貫く通路が規定されている。ガラス２２は、アルミノケイ酸ナトリウム、アルカリケイ酸バリウム、またはその他周知のガラスから構成することが好ましい。ブリッジワイヤ２８は、中央ピン３０の半径方向に伸びた表面から、アイレット２０の半径方向に伸びた表面へ伸びている。ブリッジワイヤ２８は、白金−タングステンまたは「ニクロム」ニッケル−クロムアロイ等の、高抵抗金属アロイから形成することができる。ブリッジワイヤ２８は、電気抵抗溶接により中央ピン３０およびアイレット２０に固定された平坦な両縁部を有している。これらのブリッジワイヤ２８の両縁部は、抵抗溶接を形成するのに使用される溶接電極により印加された圧力下で、平坦になる（図示しない）。本発明における適切なヘッダ、スラリー薬剤組成、およびブリッジワイヤは、以下に述べる、譲渡人による同時係属中の出願に記載されたものを用いることができる。すなわち、Ｍａｒｉｕｓ  Ｒｏｓｕによる「イニシエータにおいてパイロテクニック薬剤を分布する軸方向スピン方法」（"Axial Spin Method of Distributing Pyrotechnic Charge in an Initiator"）と題された出願Ｓ．Ｎ．１０／      （速達郵便番ＥＵ１２４４９４０５６ＵＳ）、Ｖａｈａｎ  Ａｖｅｔｉｓｉａｎによる「強化吸熱関係に配されたブリッジワイヤを備えたイニシエータ」（"Initiator with a Bridgewire Configured in an Enhanced Heat-Sinking Relationship"）と題された出願Ｓ．Ｎ．１０／      （速達郵便番ＥＵ１２４４９４０６０ＵＳ）、およびＶａｈａｎ  Ａｖｅｔｉｓｉａｎ等による「パイロテクニック薬剤を保持する内部スリーブを備えるイニシエータおよびその製造方法」と題された出願Ｓ．Ｎ．１０／      （速達郵便番ＥＵ１２４４９４０７３ＵＳ）、に記載されたものを用いることができる。
【００１１】
図１に示す本発明の実施例では、スラリー点火薬２４は、ブリッジワイヤ２８と受熱関係にある、ブリッジワイヤ２８周辺におけるヘッダの表面上の層に設けられ、モノリシックの固体を形成するために乾燥させることが可能である。ブリッジワイヤ２８は、スラリー点火薬２４の下端部に位置する。そこでは、スラリーは空隙３２をほとんど形成しない。なぜならスラリーは先ず、その両端で乾燥し、その乾燥した両端に対して内側において、空隙を残す傾向にあるからである。また、特定の量の点火薬を保持しつつ、ブリッジワイヤ位置でのスラリー深度を最小限にするために、Ｍａｒｉｕｓ  Ｒｏｓｕによる「イニシエータにおいてパイロテクニック薬剤を分布する軸方向スピン方法」と題された、譲渡人による同時係属中の出願Ｓ．Ｎ．１０／      （速達郵便番ＥＵ１２４４９４０５６ＵＳ）にて教示された、軸方向スピニング技術を適用し、ブリッジワイヤ領域において点火薬にくぼみを形成してもよい。一般には、ブリッジワイヤ上の点火薬の深度は、ブリッジワイヤの厚さのわずか５０倍以下であることが好ましい。また、ブリッジワイヤをヘッダ表面に隣接させるように配置したことにより、アイレットと、ブリッジワイヤの一部であってアイレットよりもわずかに高い位置にある部分との間、並びに、ピンと、ブリッジワイヤの一部であってピンよりもわずかに高い位置にある部分との間に生じることのある静電放電を減少させることができることも留意すべきである。
【００１２】
図２に示す本発明の実施例では、空隙３２に曝されること（およびクラッキング）の減少を実現することができる。本実施例では、ブリッジワイヤは、点火薬層の下部、並びに点火薬層とヘッダ表面との間にあるのではなく、ヘッダのガラス２２上のくぼみに環状に分布された点火薬層の上部にある。スラリー薬剤が乾燥中に空気にさらされる上部では、蒸発が最も早く起こるので、ブリッジワイヤに隣接したスラリーの領域には、空隙がほとんど形成されない。一般に本実施例に適用可能である凹型ガラス絶縁体を有するヘッダのいくつかは、Ｃｈａｔｌｅｙ  Ｊｒ．による米国特許番号第５，８２１，４４６号、および２０００年１２月に出願された「パイロテクニック・イニシエータ用凹型ガラスヘッダ」（"Recessed Glass Header for Pyrotechnic Initiators"）と題された、譲渡人による同時係属中の出願Ｓ．Ｎ．０９／７３３，５４８に記載されている。なお、米国特許番号５，８２１，４４６号は本明細書に参照に組み込まれる。
【００１３】
図３に示す第３実施例は、図１および図２の両方の特徴を合わせたものである。よって、本実施例では、ブリッジワイヤ２８は２層の乾燥スラリー薬剤における両縁部の間に挟まれている。これら両縁部における空隙３２の形成を最小限にすることを保証するためには、このような実施例は「層１」を装填し、乾燥した後に、「層２」を装填し、乾燥することにより構成されるべきである。
【００１４】
空隙の形成が比較的少ない位置でスラリー含有パイロテクニック薬剤と接するブリッジワイヤを含むパイロテクニック・イニシエータの好適な実施例を開示した。しかしながら、本発明の精神および範囲から逸脱することなく、構成要素の形態、構成、配置において各種の変更がなされてよく、前述の形態は単に本発明の好適または例示的な実施例であるにすぎないことは明白であろう。従って、本発明は、次の特許請求の範囲に準拠する以外に、制限または限定されるべきではない。
【００１５】
本明細書は、本明細書と共に出願され、かつ本出願の譲渡人に譲渡された、以下の同時係属中の出願における開示の全てを、参照により組み込んでいる。即ち、Ｖａｈａｎ  Ａｖｅｔｉｓｉａｎ等による「点火薬と出力薬との間に滑り面を備えたイニシエータ」と題されたＳ．Ｎ．１０／      （速達郵便番ＥＵ１２４４９４０３９ＵＳ）、Ｍａｒｉｕｓ  Ｒｏｓｕによる「イニシエータにおいてパイロテクニック薬剤を分布する軸方向スピン方法」と題された、譲渡人による同時係属中の出願Ｓ．Ｎ．１０／      （速達郵便番ＥＵ１２４４９４０５６ＵＳ）、Ｖａｈａｎ  Ａｖｅｔｉｓｉａｎによる「強化吸熱関係に配されたブリッジワイヤを備えたイニシエータ」と題された、Ｓ．Ｎ．１０／      （速達郵便番ＥＵ１２４４９４０６０ＵＳ）、およびＶａｈａｎ  Ａｖｅｔｉｓｉａｎ等による「パイロテクニック薬剤を保持する内部スリーブを備えるイニシエータおよびその製造方法」と題された、Ｓ．Ｎ．１０／      （速達郵便番ＥＵ１２４４９４０７３ＵＳ）である。
【図１】
2005531742.tif 000003
【図２】
2005531742.tif 000004
【図３】
2005531742.tif 000005
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
ａ）上部、アイレット（２０）、ガラス絶縁体（２２）および第１ピン（３０）を含むヘッダアセンブリと、
ｂ）前記ヘッダアセンブリの前記上部に設けられた裸の電気的開始要素（２８）と、
ｃ）前記ヘッダアセンブリの前記上部表面に隣接しており、かつ前記電気的開始要素（２８）と隣接して伝熱関係にある第１点火薬（２４）と、
を備えており、
ｄ）前記第１点火薬（２４）は乾燥スラリーであり、前記第１点火薬の縁部において前記電気的開始要素（２８）と接しており、
前記第１点火薬（２４）は、当該第１点火薬において前記電気的開始要素（２８）の厚みの５０倍以下の高さを有する位置において、前記電気的開始要素（２８）と接していることを特徴とするイニシエータ。
【請求項２】
前記電気的開始要素（２８）はブリッジワイヤであることを特徴とする請求項１に記載のイニシエータ。
【請求項３】
前記第１点火薬（２４）は前記ブリッジワイヤの上にあることを特徴とする請求項２に記載のイニシエータ。
【請求項４】
前記ガラス絶縁体（２２）は、前記ヘッダアセンブリの前記上面と実質的に同一平面である平坦な上面を備えることを特徴とする請求項１に記載のイニシエータ。
【請求項５】
前記ブリッジワイヤは前記ガラス絶縁体（２２）に密に接していることを特徴とする請求項３に記載のイニシエータ。
【請求項６】
前記ブリッジワイヤは平坦なブリッジワイヤであることを特徴とする請求項５に記載のイニシエータ。
【請求項７】
前記第１点火薬（２４）は前記ブリッジワイヤの下にあることを特徴とする請求項２に記載のイニシエータ。
【請求項８】
ａ）上部、アイレット（２０）、ガラス絶縁体（２２）および第１ピン（３０）を含むヘッダアセンブリと、
ｂ）前記ヘッダアセンブリの前記上部に設けられた裸の電気的開始要素（２８）と、
ｃ）前記ヘッダアセンブリの前記上部表面に隣接しており、かつ前記電気的開始要素（２８）と隣接して伝熱関係にある第１点火薬（２４）と、
を備えており、
ｄ）前記第１点火薬（２４）は乾燥スラリーであり、前記第１点火薬（２４）の縁部において前記電気的開始要素（２８）と接しており、
ｅ）当該イニシエータは、前記電気的開始要素（２８）と隣接して伝熱関係にある第２点火薬をさらに備えており、前記第２点火薬は乾燥スラリーであり、前記第２点火薬の下端で前記電気的開始要素（２８）と接していることを特徴とするイニシエータ。
【請求項９】
前記第１点火薬（２４）は、当該第１点火薬（２４）において前記電気的開始要素（２８）の厚みの５０倍以下の高さを有する位置において前記電気的開始要素（２８）と接しており、前記第２点火薬は、当該第２点火薬において前記電気的開始要素（２８）の厚みの５０倍以下の高さを有する位置において前記電気的開始要素（２８）と接していることを特徴とする請求項８に記載のイニシエータ。
【請求項１０】
ａ）上部、アイレット（２０）、ガラス絶縁体（２２）および第１ピン（３０）を含むヘッダアセンブリと、
ｂ）前記ヘッダアセンブリの前記上部に設けられた裸の電気的開始要素（２８）と、
ｃ）前記ヘッダアセンブリの前記上部表面に隣接しており、かつ前記電気的開始要素（２８）と隣接して伝熱関係にある第１点火薬（２４）と、
を備えており、
ｄ）前記第１点火薬（２４）は乾燥スラリーであり、前記第１点火薬（２４）の縁部において前記電気的開始要素（２８）と接しており、
前記第１点火薬（２４）は前記電気的開始要素（２８）の上にあり、前記第１点火薬（２４）は０．３４ＭＰａ（５０ｐｓｉ）以下の圧力により前記ヘッダアセンブリの前記上部に押付けられていることを特徴とするイニシエータ。
【請求項１１】
前記第１点火薬（２４）の上部上に出力薬を更に備えることを特徴とする請求項１０に記載のイニシエータ。
【請求項１２】
前記第１点火薬（２４）と前記出力薬との間に中間滑り面を更に備えることを特徴とする請求項１１に記載のイニシエータ。
【請求項１３】
ａ）上部、アイレット（２０）、ガラス絶縁体（２２）および第１ピン（３０）を含むヘッダアセンブリを設ける工程と、
ｂ）前記ヘッダアセンブリの前記上部に裸の電気的開始要素（２８）を設ける工程と、
ｃ）前記ヘッダアセンブリの前記上部表面に隣接し、かつ前記電気的開始要素（２８）と伝熱関係となるように、スラリー形態の第１点火薬を前記ヘッダアセンブリの上部のくぼみに装填する工程と、
ｄ）前記第１点火薬（２４）が前記第１点火薬（２４）の縁部において前記電気的開始要素（２８）と伝熱関係を保つように前記第１点火薬（２４）を乾燥させる工程と、
ｅ）前記ヘッダアセンブリの前記上部に第２点火薬を装填する工程と、
ｆ）前記第２点火薬を乾燥させる工程と、
を備えることを特徴とするイニシエータの製造方法。
【請求項１４】
前記電気的開始要素（２８）に隣接する前記第１点火薬（２４）の部分を、前記第１点火薬（２４）の最も薄い部分にする設定工程を更に備えることを特徴とする請求項１３に記載の製造方法。
【請求項１５】
前記設定工程は、前記第１点火薬（２４）を装填する間に、前記ヘッダアセンブリを軸方向にスピンさせる工程を備えることを特徴とする請求項１４に記載の製造方法。
【請求項１６】
前記第１点火薬（２４）を装填する間に、前記ヘッダアセンブリに遠心力を作用させる工程を備えることを特徴とする請求項１３に記載の製造方法。
【請求項１７】
前記乾燥工程時に、前記第１および第２点火薬（２４）の縁部で、空隙（３２）の生成を最小限にするような前記第１および第２点火薬（２４）用のスラリー組成を選択する工程を更に備えることを特徴とする請求項１３に記載の製造方法。
【手続補正２】
【補正対象書類名】明細書
【補正対象項目名】０００９
【補正方法】変更
【補正の内容】
【０００９】
本明細書は、本明細書と共に出願され、かつ本出願の譲渡人に譲渡された、以下の同時係属中の出願における開示の全てを参照により組み込む。即ち、Ｖａｈａｎ  Ａｖｅｔｉｓｉａｎ等によるＳ．Ｎ．１０／１８８，４０２、Ｍａｒｉｕｓ  ＲｏｓｕによるＳ．Ｎ．１０／１８８，００９、Ｖａｈａｎ  ＡｖｅｔｉｓｉａｎによるＳ．Ｎ．１０／１８８，０１０、およびＶａｈａｎ  Ａｖｅｔｉｓｉａｎ等によるＳ．Ｎ．１０／１８８，００３である。本発明では、種々の形状ないし構成を有するイニシエータを使用することができる。また、本発明のイニシエータとして使用するために、種々の形状ないし構成を有するイニシエータを適宜改良することができる。本発明で使用するのに適したイニシエータは、Ｖａｈａｎ  Ａｖｅｔｉｓｉａｎ等による出願Ｓ．Ｎ．１０／１８８，００３に記載されているようなパイロテクニック・イニシエータにおいて通常見られる多数の特性を備えていることが好ましい。なお、この出願は譲渡人による同時係属中の出願であり、本明細書に参照により組み込まれる。例えば、ガラス−金属密閉のヘッダアセンブリは、薬剤容器、絶縁体容器および成形絶縁筐体に密閉接着されている。そして、スラリー点火薬を装填し、乾燥することによってモノリシックの固体が形成されている。このモノリシックの固体は、薬剤密閉容器の高さの低い部分に相当する高さないし厚さを有することが好ましい。出力薬は、点火薬の乾燥後に点火薬の上に装填することが好ましい（出力薬もスラリー形態とするのが好ましい）。Ｖａｈａｎ  Ａｖｅｔｉｓｉａｎ等による出願Ｓ．Ｎ．１０／１８８，４０２に教示されているように、出力薬から点火薬への力の伝達を防ぐために、点火薬と出力薬との間に「滑り面」を設けてもよい。なお、この出願は、譲渡人による同時係属中の出願である。
【手続補正３】
【補正対象書類名】明細書
【補正対象項目名】００１０
【補正方法】変更
【補正の内容】
【００１０】
図１を参照すると、適切なヘッダアセンブリには、通常、３０４Ｌステンレス鋼等の金属から構成されたアイレット２０を設けることができる。このアイレット２０は一般に円筒状であり、アイレット２０には、ガラス２２からなる密閉シーリングおよびガラス２２内に配置される中央ピン３０を備えたフィードスルーを設けることが可能となるように、アイレット２０を貫く通路が規定されている。ガラス２２は、アルミノケイ酸ナトリウム、アルカリケイ酸バリウム、またはその他周知のガラスから構成することが好ましい。ブリッジワイヤ２８は、中央ピン３０の半径方向に伸びた表面から、アイレット２０の半径方向に伸びた表面へ伸びている。ブリッジワイヤ２８は、白金−タングステンまたは「ニクロム」ニッケル−クロムアロイ等の、高抵抗金属アロイから形成することができる。ブリッジワイヤ２８は、電気抵抗溶接により中央ピン３０およびアイレット２０に固定された平坦な両縁部を有している。これらのブリッジワイヤ２８の両縁部は、抵抗溶接を形成するのに使用される溶接電極により印加された圧力下で、平坦になる（図示しない）。本発明における適切なヘッダ、スラリー薬剤組成、およびブリッジワイヤは、以下に述べる、譲渡人による同時係属中の出願に記載されたものを用いることができる。すなわち、Ｍａｒｉｕｓ  Ｒｏｓｕによる出願Ｓ．Ｎ．１０／１８８，００９、Ｖａｈａｎ  Ａｖｅｔｉｓｉａｎによる出願Ｓ．Ｎ．１０／１８８，０１０、およびＶａｈａｎ  Ａｖｅｔｉｓｉａｎ等による出願Ｓ．Ｎ．１０／１８８，００３、に記載されたものを用いることができる。
【手続補正４】
【補正対象書類名】明細書
【補正対象項目名】００１１
【補正方法】変更
【補正の内容】
【００１１】
図１に示す本発明の実施例では、スラリー点火薬２４は、ブリッジワイヤ２８と受熱関係にある、ブリッジワイヤ２８周辺におけるヘッダの表面上の層に設けられ、モノリシックの固体を形成するために乾燥させることが可能である。ブリッジワイヤ２８は、スラリー点火薬２４の下端部に位置する。そこでは、スラリーは空隙３２をほとんど形成しない。なぜならスラリーは先ず、その両端で乾燥し、その乾燥した両端に対して内側において、空隙を残す傾向にあるからである。また、特定の量の点火薬を保持しつつ、ブリッジワイヤ位置でのスラリー深度を最小限にするために、Ｍａｒｉｕｓ  Ｒｏｓｕによる出願Ｓ．Ｎ．１０／１８８，００９にて教示された軸方向スピニング技術を適用し、ブリッジワイヤ領域において点火薬にくぼみを形成してもよい。なお、この出願は譲渡人による同時係属中の出願である。一般には、ブリッジワイヤ上の点火薬の深度は、ブリッジワイヤの厚さのわずか５０倍以下であることが好ましい。また、ブリッジワイヤをヘッダ表面に隣接させるように配置したことにより、アイレットと、ブリッジワイヤの一部であってアイレットよりもわずかに高い位置にある部分との間、並びに、ピンと、ブリッジワイヤの一部であってピンよりもわずかに高い位置にある部分との間に生じることのある静電放電を減少させることができることも留意すべきである。
【手続補正５】
【補正対象書類名】明細書
【補正対象項目名】００１５
【補正方法】削除
【補正の内容】
【国際調査報告】
2005531742.tif 000006
2005531742.tif 000007
2005531742.tif 000008